(57)【要約】【課題】  撮像装置に対して撮像条件の変更指示、撮影画像の転送指示及び撮影画像の再生指示等の指示情報を送信することができるリモコン装置を提供する。【解決手段】  リモコン装置３８は、撮像装置２へ指示情報の送信を行う送信部４２と、前記撮像装置２から送信された前記指示情報に対する応答情報を受信する受信部４４とを備える。【選択図】図３
2009135766.tif 000002
【特許請求の範囲】
【請求項１】
撮像装置へ指示情報の送信を行う送信部と、
前記撮像装置から送信された前記指示情報に対する応答情報を受信する受信部と
を備えることを特徴とするリモコン装置。
【請求項２】
前記指示情報または前記応答情報を表示する表示部を更に備えることを特徴とする請求項１記載のリモコン装置。
【請求項３】
前記指示情報は、前記撮像装置に設定すべき撮像条件を示す撮影情報、前記撮像装置に再生動作を指示する再生動作情報及び前記撮像装置に撮影画像の転送を指示する画像転送情報の中の少なくとも１つを含むことを特徴とする請求項１または請求項２記載のリモコン装置。
【請求項４】
前記表示部に前記指示情報として撮影情報を表示した状態で、前記撮影情報の変更を行う変更部と、
前記送信部に対し、前記変更部により変更された前記撮影情報の送信を指示する送信指示部と
を備えることを特徴とする請求項１乃至請求項３の何れか一項に記載のリモコン装置。
【請求項５】
前記表示部は、前記撮像装置から送信された、該撮像装置に現在設定されている撮像条件を示す撮影情報を表示することを特徴とする請求項４記載のリモコン装置。
【請求項６】
前記表示部は、前記撮像装置から送信された撮影画像の表示を行うことを特徴とする請求項２乃至請求項５の何れか一項に記載のリモコン装置。
【請求項７】
設定された撮像条件に基づいて被写体光を撮像する撮像素子と、
前記撮像素子から出力される撮像信号に基づく撮影画像を記憶する記憶部と、
リモコン装置からの指示情報を受信する指示情報受信部と、
前記リモコン装置に対して前記指示情報に対する応答情報を送信する応答情報送信部と
を備えることを特徴とする撮像装置。
【請求項８】
前記指示情報受信部には、検出対象物に対して光を発光する発光部と、前記検出対象物からの反射光を検出する検出部を含む近接センサの前記検出部が用いられることを特徴とする請求項７記載の撮像装置。
【請求項９】
前記指示情報受信部において、前記リモコン装置から送信される撮像条件を示す撮影情報を受信した場合に、前記撮影情報に基づいて前記撮像条件を設定する設定部を備えることを特徴とする請求項７または請求項８記載の撮像装置。
【請求項１０】
前記設定部において前記撮像条件を設定した場合に、前記応答情報送信部により前記リモコン装置に対して設定完了情報を送信することを特徴とする請求項９記載の撮像装置。
【請求項１１】
前記指示情報受信部において、前記リモコン装置から送信される再生動作を指示する再生動作情報を受信した場合に、前記再生動作情報に基づいて前記記憶部から前記撮影画像を読み出し前記撮影画像の再生を行う画像再生部を備えることを特徴とする請求項７または請求項８記載の撮像装置。
【請求項１２】
前記指示情報受信部において、前記リモコン装置から送信される撮影画像の転送を指示する画像転送情報を受信した場合に、前記画像転送情報に基づいて前記記憶部から前記撮影画像を読み出し、前記応答情報送信部により前記リモコン装置に前記撮影画像の送信を行うことを特徴とする請求項７または請求項８記載の撮像装置。
【請求項１３】
撮像装置へ指示情報の送信を行う送信部と、前記撮像装置から送信された前記指示情報に対する応答情報を受信する受信部とを備えるリモコン装置と、
設定された撮像条件に基づいて被写体光を撮像する撮像素子と、前記撮像素子から出力される撮像信号に基づく撮影画像を記憶する記憶部と、前記リモコン装置からの前記指示情報を受信する指示情報受信部と、前記リモコン装置に対して前記指示情報に対する応答情報を送信する応答情報送信部とを備える撮像装置と
を備えることを特徴とするカメラシステム。
【請求項１４】
前記撮像装置の前記指示情報受信部には、検出対象物に対して光を発光する発光部と、前記検出対象物からの反射光を検出する検出部を含む近接センサの前記検出部が用いられることを特徴とする請求項１３記載のカメラシステム。
【請求項１５】
前記撮像装置は、
前記指示情報受信部において、前記リモコン装置から送信される撮像条件を示す撮影情報を受信した場合に、前記撮影情報に基づいて前記撮像条件を設定する設定部を更に備えることを特徴とする請求項１３または請求項１４記載のカメラシステム。
【請求項１６】
前記撮像装置は、
前記指示情報受信部において、前記リモコン装置から送信される再生動作を指示する再生動作情報を受信した場合に、前記再生動作情報に基づいて前記記憶部から前記撮影画像を読み出し前記撮影画像の再生を行う画像再生部を更に備えることを特徴とする請求項１３または請求項１４記載のカメラシステム。
【請求項１７】
前記撮像装置は、
前記指示情報受信部において、前記リモコン装置から送信される再生動作を指示する再生動作情報を受信した場合に、前記再生動作情報に基づいて前記記憶部から前記撮影画像を読み出し、かつ外部モニタに対して前記撮影画像の出力を行う画像出力部を更に備えることを特徴とする請求項１３または請求項１４記載のカメラシステム。
【請求項１８】
前記撮像装置は、
前記指示情報受信部において、前記リモコン装置から送信される撮影画像の転送を指示する画像転送情報を受信した場合に、前記画像転送情報に基づいて前記記憶部から前記撮影画像を読み出し前記リモコン装置に前記撮影画像の送信を行う画像送信部を更に備えることを特徴とする請求項１３または請求項１４記載のカメラシステム。
【発明の詳細な説明】
【技術分野】
【０００１】
本発明は、撮像装置に指示情報の送信を行うリモコン装置、リモコン装置からの指示情報に基づいて動作する撮像装置、及びリモコン装置と撮像装置とを備えるカメラシステムに関するものである。
【背景技術】
【０００２】
一般に、カメラにおいて接写や長時間露光等を行う場合、シャッタボタンを指先で操作すると手ぶれが生じ、撮影意図にかなう画像を撮影できない場合があることから、リモコン装置によってレリーズ動作を行わせて撮像を行うことが行われている（例えば、特許文献１参照）。ところで、上述のリモコン装置においては、リモコン装置のレリーズボタンが操作された場合には、赤外線によるリモコン信号がカメラに対して送信され、リモコン信号を受信したカメラにおいては、撮影準備動作であるＡＥ（自動露出）、ＡＦ（オートフォーカス）動作を行った後に、撮像を行っている。
【特許文献１】特開２００３−１９５４０９号公報
【発明の開示】
【発明が解決しようとする課題】
【０００３】
上述のリモコン装置では、カメラに対して撮像動作を行わせるためのリモコン信号を送信することによりカメラにおいて撮像、及び撮像前のＡＥ、ＡＦ動作を行わせることはできるが、シャッタスピードや絞りといった撮影条件の変更を行う場合、または、カメラで撮像した撮影画像を確認する場合には、カメラの所まで行く必要が有り、不便であった。
【０００４】
本発明の目的は、撮像装置に対して撮像条件の変更指示、撮影画像の転送指示及び撮影画像の再生指示等の指示情報を送信することができるリモコン装置、リモコン装置からの指示情報に基づき、リモコン装置に対して応答情報を送信する撮像装置、及びこれらのリモコン装置と撮像装置とを備えたカメラシステムを提供することである。
【課題を解決するための手段】
【０００５】
以下に本発明の構成を実施の形態の符号を付して説明するが、本発明は、本実施の形態に限定されるものではない。
【０００６】
本発明のリモコン装置（３８）は、撮像装置（２）へ指示情報の送信を行う送信部（４２）と、前記撮像装置（２）から送信された前記指示情報に対する応答情報を受信する受信部（４４）とを備えることを特徴とする。
【０００７】
また、本発明の撮像装置（２）は、設定された撮像条件に基づいて被写体光を撮像する撮像素子（２４）と、前記撮像素子（２４）から出力される撮像信号に基づく撮影画像を記憶する記憶部（２６）と、リモコン装置（３８）からの指示情報を受信する指示情報受信部（１６）と、前記リモコン装置（３８）に対して前記指示情報に対する応答情報を送信する応答情報送信部（１４）とを備えることを特徴とする。
【０００８】
また、本発明のカメラシステムは、撮像装置（２）へ指示情報の送信を行う送信部（４２）と、前記撮像装置（２）から送信された前記指示情報に対する応答情報を受信する受信部（４４）とを備えるリモコン装置（３８）と、設定された撮像条件に基づいて被写体光を撮像する撮像素子（２４）と、前記撮像素子（２４）から出力される撮像信号に基づく撮影画像を記憶する記憶部（２６）と、前記リモコン装置（３８）からの前記指示情報を受信する指示情報受信部（１６）と、前記リモコン装置（３８）に対して前記指示情報に対する応答情報を送信する応答情報送信部（１４）とを備える撮像装置（２）とを備えることを特徴とする。
【発明の効果】
【０００９】
本発明のリモコン装置によれば、リモコン装置を用いて撮像装置における撮像条件の変更を行うことができ、また、撮像装置で撮像された撮影画像の確認及び撮影画像の再生指示を行うことができる。
【００１０】
また、本発明の撮像装置によれば、リモコン装置からの指示情報に基づいて撮像条件の変更を行うことができ、また、撮像装置で撮像された撮影画像をリモコン装置、または、外部モニタ等の外部表示装置に送信することができる。
【００１１】
また、本発明のカメラシステムによれば、リモコン装置により撮像装置の撮像条件の変更を行うことができ、また、撮影画像をリモコン装置においても確認することができる。更に、撮像装置と外部モニタ等の外部表示装置を接続した場合に、リモコン装置の操作によって、外部モニタ等の外部表示装置において撮影画像の再生を行うことができる。
【発明を実施するための最良の形態】
【００１２】
以下、図面を参照して本発明の実施の形態に係るカメラシステムについて説明する。本実施の形態に係るカメラシステムは、図１及び図２に示すカメラ（撮像装置）と、図３及び図４に示すリモコン装置３８とを備えている。図１は、実施の形態に係るカメラの背面の構成を示す図である。カメラ２は、図示しない撮影レンズとカメラ本体４とを備えている。ここで、撮影レンズは、カメラ本体４に固定されているものでもよいし、交換式の撮影レンズでもよい。カメラ本体４の上部には、レリーズ動作を指示するシャッタボタン６が設けられており、カメラ本体４の背面には、ファインダ像を観察するファインダ接眼窓８、撮影画像の表示、再生及び撮像条件等を表示するＬＣＤ表示部１０、ＬＣＤ表示部１０に表示された条件等を選択する十字キー１２ａ、選択した内容を決定する決定ボタン１２ｂ、及び後述するメモリカード３０に記憶されている画像を再生するための再生ボタン１２ｃ、及び赤外光を発光する発光部１４と検出対象物によって反射された赤外光を検出する受光部１６とを含む近接センサ１８が設けられている。
【００１３】
図２は、実施の形態に係るカメラのシステム構成を示すブロック図である。カメラ２にはＣＰＵ２０が設けられており、ＣＰＵ２０には、シャッタボタン６、十字キー１２ａ、決定ボタン１２ｂ、再生ボタン１２ｃ等を含む操作部１２、発光部１４と受光部１６とを含む近接センサ１８、ＬＣＤ表示部１０の表示を制御する表示制御部２２、撮影レンズを介した被写体光を撮像して撮像信号（蓄積電荷としてのアナログ信号）を生成するＣＣＤ或いはＣＭＯＳ等により構成される撮像素子２４、撮像素子２４から出力された撮像信号を、図示しないＡ／Ｄ変換部においてＡ／Ｄ変換して撮影画像の画像データを生成し、この画像データを一時的に記憶する画像データ記憶部２６、画像素子２４から出力される撮像信号に基づく画像データに、ホワイトバランス調整、輪郭補償、ガンマ補正等の画像処理を行う画像処理部２８、撮影画像を記憶するメモリカード３０、設定された撮像条件を記憶する撮像条件記憶部３２及び外部モニタ等の外部表示装置に撮影画像を送信する通信制御部３４が接続されている。
【００１４】
また、ＣＰＵ２０には判定部３６が設けられており、この判定部３６は受光部１６を介して受光した光が発光部１４から検出対象物に対して発光した赤外光の反射光であるか、後述するリモコン装置３８からの指示情報を含む光であるかを判定する。即ち、近接センサ１８が近接センサとして機能する場合の発光パターンと、後述するリモコン装置３８の送信部４２がリモコン信号を送信する場合の発光パターンとは、それぞれ異ならせてあるため、その差異によって判定部３６は受光した光が検出対象物に対して発光した赤外光の反射光であるか、リモコン装置からの指示情報を含む光であるかの判定を行う。
【００１５】
図３は実施の形態に係るリモコン装置の外観の構成を示す図である。リモコン装置３８はリモコン本体４０に、カメラ２へ指示情報を送信する送信部４２、カメラ２から送信された応答情報を受信する受信部４４、ＬＣＤにより構成される表示部４６、及びカメラ本体４に設けられているもの同一の機能を有し且つカメラ本体のものとほぼ同一形態の十字キー４８ａ、決定ボタン４８ｂ、再生ボタン４８ｃ及びシャッタボタン４８ｄが設けられている。
【００１６】
図４は、実施の形態に係るリモコン装置のシステム構成を示すブロック図である。リモコン装置３８には、ＣＰＵ５０が設けられており、ＣＰＵ５０には、送信部４２、受信部４４、表示部４６、十字キー４８ａ、決定ボタン４８ｂ、再生ボタン４８ｃ及びシャッタボタン４８ｄ等を含む操作部４８、及び受信部４４を介して受信した応答情報等を記憶するメモリ５２が接続されている。
【００１７】
次に、図５のフローチャートを参照して、リモコン操作によりカメラの撮像条件を変更する場合の処理について説明する。まず、カメラ２の図示しない電源ボタンが操作されてカメラ２の電源がＯＮにされ（ステップＳ２０）、カメラ２上に設けられている図示しないリモコンモード選択ボタンが操作され、カメラ２がリモコンモードに設定されると（ステップＳ２１）、カメラ２は、リモコン装置３８から送信される指示情報を含むコマンドを受信するまで待機状態となる（ステップＳ２２）。
【００１８】
一方、リモコン装置３８においては、十字キー４８ａ、決定ボタン４８ｂ等の操作により、撮影情報変更モードが選択されると（ステップＳ１０）、その操作に応じて、カメラ２において現在設定されている撮影情報を取得するための指示情報を含むコマンドを送信部４２からカメラ２に対して送信し（ステップＳ１１）、カメラ２からの応答情報を含むコマンドを受信するまで待機状態となる（ステップＳ１２）。
【００１９】
カメラ２は、ステップＳ１１においてリモコン装置３８から送信された撮影情報取得コマンドを受光部１６を介して受信すると（ステップＳ２３）、撮像条件記憶部３２に設定されている現在の撮影情報を読み出してリモコン装置３８へ送信し（ステップＳ２４）、待機状態となる（ステップＳ２５）。ここで、撮影情報には、撮影モード（互いに露出条件が異なる各種のプログラム露出モードを含む）、絞り値、シャッタスピード値、露出補正値、単写または連写等の撮影動作モード、ＡＥロック、ＩＳＯ値、画質モード、ＷＢブラケティング等の情報が含まれる。
【００２０】
リモコン装置３８は、カメラ２において現在設定されている撮影情報を受信部４４を介して受信すると（ステップＳ１３）、受信した撮影情報をメモリ５２に記憶すると共に、表示部４６に表示する（ステップＳ１４）。リモコン装置３８は、表示された撮影情報が、撮影者の十字キー４８ａ、決定ボタン４８ｂ等の操作により変更されると（ステップＳ１５）、送信指示により、変更された撮影情報を送信部４２からカメラ２に対して送信し（ステップＳ１６）、待機状態となる（ステップＳ１７）。
【００２１】
カメラ２は、変更された撮影情報を受光部１６を介して受信すると（ステップＳ２６）、受信した撮影情報を撮像条件記憶部３２に書き込むことによりカメラ内部での設定を完了し（ステップＳ２７）、撮影情報の設定変更完了の応答情報を含むコマンドをリモコン装置３８へ送信する（ステップＳ２８）。そして、再び、リモコン装置３８からの指示情報を含むコマンドを受信するまで待機状態となる（ステップＳ２２）。
【００２２】
リモコン装置３８においては、設定変更完了の応答情報を含むコマンドを受信部４４を介して受信すると（ステップＳ１８）、受信した情報をメモリ５２に記憶すると共に、表示部４６にカメラ側での撮影情報の設定変更が完了した旨を表示する（ステップＳ１９）。
【００２３】
本実施の形態に係るカメラシステムによれば、リモコン装置によりカメラの撮像条件の変更を行うことができる。また、リモコン装置からの指示情報によりカメラの撮像条件が変更された場合には、カメラからリモコン装置に対して、撮像条件の変更完了を示す応答情報が送信され、リモコン装置の表示部において表示されるため、撮像条件の変更が完了したことをリモコン装置において確認することができる。
【００２４】
次に、図６のフローチャートを参照して、リモコン装置による撮影指示を行う場合の処理について説明する。まず、カメラ２の図示しない電源ボタンが操作されてカメラ２の電源がＯＮにされ（ステップＳ４０）、既述のリモコンモード選択ボタンが操作され、カメラ２がリモコンモードに設定されると（ステップＳ４１）、カメラ２は、リモコン装置３８からの指示情報を含むコマンドを受信するまで待機状態となる（ステップＳ４２）。
【００２５】
一方、リモコン装置３８においてシャッタボタン４８ｄが操作されると（ステップＳ３０）、カメラ２に撮像を行わせるためのレリーズコマンドを送信部４２からカメラ２へ送信し（ステップＳ３１）、待機状態となる（ステップＳ３２）。
【００２６】
カメラ２においては、レリーズコマンドを受光部１６を介して受信すると（ステップＳ４３）、撮像を行い（ステップＳ４４）、その撮像で得られた撮影画像を発光部１４からリモコン装置３８に送信する（ステップＳ４５）。そして、再び、リモコン装置３８からの指示情報を含むコマンドを受信するまで待機状態となる（ステップＳ４２）。
【００２７】
リモコン装置３８においては、受信部４４を介して撮影画像を受信すると（ステップＳ３３）、この撮影画像をメモリ５２に記憶すると共に、表示部４６に表示する（ステップＳ３４）。
【００２８】
本実施の形態に係るカメラシステムによれば、撮影画像を撮影動作終了直後にリモコン装置において確認することができる。
【００２９】
次に、図７のフローチャートを参照して、リモコン装置３８による撮像画像の再生動作処理について説明する。
【００３０】
まず、カメラ２の図示しない電源ボタンが操作されてカメラ２の電源がＯＮにされ（ステップＳ６０）、既述のリモコンモード選択ボタンが操作され、カメラ２がリモコンモードに設定されると（ステップＳ６１）、カメラ２は、リモコン装置３８からの指示情報を含むコマンドを受信するまで待機状態となる（ステップＳ６２）。
【００３１】
一方、リモコン装置３８においては、再生ボタン４８ｃが操作され、画像再生モードが選択されると（ステップＳ５０）、カメラに対して撮影済画像（メモリカード３０に記録された画像）の画像動作を指示するための画像再生コマンドを送信部４２からカメラ２へ送信し（ステップＳ５１）、カメラ２からの応答情報を含むコマンドを受信するまで待機状態となる（ステップＳ５２）。
【００３２】
カメラ２は、画像再生コマンドを受光部１６を介して受信すると（ステップＳ６３）、通信制御部３４を介して外部モニタ等の外部表示装置が接続されているか否かの判断を行う（ステップＳ６４）。接続されている場合には、メモリカード３０に記憶されている撮影画像を読み出し、通信制御部３４を介して撮影画像を外部モニタ等の外部表示装置に対して送信し、撮影画像の再生動作を行う（ステップＳ６６）。撮影画像の再生が終了すると、リモコン装置３８からの指示情報を含むコマンドを受信するまで待機状態となる（ステップＳ６７）。
【００３３】
一方、ステップＳ６４において外部モニタ等の外部表示装置がカメラ２に通信制御部３４を介して接続されていないと判断された場合には、メモリカード３０に記憶されている撮影画像をリモコン装置３８へ送信し（ステップＳ６５）、リモコン装置３８からの指示情報を含むコマンドを受信するまで待機状態となる（ステップＳ６７）。
【００３４】
リモコン装置３８は、受信部４４を介して撮影画像を受信すると（ステップＳ５３）、撮影画像をメモリ５２に記憶し、表示部４６に画像を表示する（ステップＳ５４）。リモコン装置３８において、ステップＳ５３において受信したものとは異なる撮影画像、または、ステップＳ６６において外部モニタ等の外部表示装置において表示されていない撮影画像の再生を行わせる場合には、リモコン装置３８において、十字キー４８ａ、決定ボタン４８ｂ等を操作して、再生すべき撮影画像に付された再生コマ番号を選択し、選択されたコマ番号を含むコマンドをカメラ２に対して送信し（ステップＳ５５）、待機状態となる（ステップＳ５６）。
【００３５】
カメラ２は、再生コマ番号を含むコマンドを受光部１４において受信すると（ステップＳ６８）、通信制御部３４を介して外部モニタ等の外部表示装置が接続されているか否かの判断を行う（ステップＳ６９）。接続されている場合には、再生コマ番号に該当する撮影画像をメモリカード３０から読み出し、通信制御部３４を介して撮影画像を外部モニタ等の外部表示装置に対して送信し、撮影画像の再生動作を行う（ステップＳ７１）。再生動作が終了すると、再び、リモコン装置３８からの指示情報を含むコマンドを受信するまで待機状態となる（ステップＳ６７）。
【００３６】
一方、ステップＳ６９において外部モニタ等の外部表示装置がカメラ２に通信制御部３４を介して接続されていないと判断された場合には、再生コマ番号に該当する撮影画像をメモリカード３０から読み出し、撮影画像をリモコン装置３８に送信する（ステップＳ７０）。そして、再び、リモコン装置３８からの指示情報を含むコマンドを受信するまで待機状態となる（ステップＳ６７）。
【００３７】
リモコン装置３８は、受信部４４を介して再生コマ番号に該当する撮影画像を受信すると（ステップＳ５７）、この撮影画像をメモリ５２に記憶し、表示部４６に画像を表示する（ステップＳ５８）。
【００３８】
本実施の形態に係るカメラシステムによれば、リモコン装置においてカメラに記憶されている撮影画像を再生することができる。また、カメラに外部モニタ等の外部表示装置が接続されている場合には、リモコン装置の操作によって、カメラに記憶されている撮影画像を外部モニタ等の外部表示装置において再生することができる。  
なお、送信する再生コマ番号は１つであっても複数であってもよく、複数である場合の撮影画像の再生は１つの撮影画像を表示部または外部表示機器において表示するだけではなく、サルネイム表示のように複数の撮影画像を一度に表示してもよい。
【００３９】
また、リモコン装置３８または外部モニタ等の外部表示装置における再生動作での表示は、撮影画像に限られず、撮影画像に関するファイル名、撮影日時、撮影情報等であってもよい。また、これらの情報を撮影画像と共に表示するようにしてもよい。
【００４０】
また、リモコン装置３８において撮影画像を再生した場合に、表示部４６に表示される撮影画像を操作部４８を操作することで加工することができるようにしてもよい。
【００４１】
また、上述の実施の形態において、リモコン装置３８は操作部４８を表示部４６内に備えたタッチパネル方式で構成してもよい。
【００４２】
なお、この実施の形態では、外部表示装置のカメラへの接続の有無に応じて、外部表示装置に再生画像を表示させるか、リモコン装置側の表示部に表示させるかを切換えていたが（Ｓ６４〜Ｓ６６）、これに限らず、リモコン装置側でどの表示部に表示させるかを選択できるようにカメラ及びリモコン装置を構成してもよい。
【００４３】
なお、上述の実施の形態においては、リモコン装置からカメラに対して指示情報の送信を行っていたが、図８に示すように、カメラ２の他に、カメラ２からの応答情報を受信可能な受光部５６及びカメラ２に対して指示情報を送信可能な発光部５８を備えた従カメラ５４を用い、この従カメラ５４をリモコン機能を備える撮像装置として用いてもよい。この場合には、カメラ２での撮影画像は従カメラ５４において確認可能であり、また、従カメラ５４からの指示により、カメラ２から外部モニタ等の外部表示装置に対して撮影画像を送信し、表示させることが可能である。更に、従カメラ５４の図示しない十字キー、決定ボタン等の操作によって、従カメラ５４のみならず、カメラ２の撮像条件の変更を行うことができる。また、従カメラ５４の図示しないシャッタボタンの操作によって、カメラ２に対してレリーズコマンドを送信することが可能であり、このレリーズコマンドに基づいてカメラ２で撮影された撮影画像を従カメラ５４において確認することができる。
【００４４】
なお、上述の実施の形態において、撮像装置として、カメラを例に説明したが、カメラ付き携帯電話、ＰＤＡ等であってもよい。
【００４５】
また、上述の実施の形態において、カメラ２の送信部及び受信部として赤外光を用いた近接センサを例にとって説明したが、リモコン装置３８からの指示情報の受信、及びリモコン装置３８への応答情報等の送信は近接センサに限定されるものではなく、リモコン装置３８との送信・受信用に専用の送信部・受信部をカメラ２に設けるようにしてもよい。また、通信に用いられる信号は赤外線に限定されるものではなく、上記の実施の形態で述べた情報の通信が可能であればどのような通信手段でもよい。
【図面の簡単な説明】
【００４６】
【図１】本発明の実施の形態に係るカメラの背面の構成を示す図である。
【図２】本発明の実施の形態に係るカメラのシステム構成を示すブロック図である。
【図３】本発明の実施の形態に係るリモコン装置の外観の構成を示す図である。
【図４】本発明の実施の形態に係るリモコン装置のシステム構成を示すブロック構成図である。
【図５】本発明の実施の形態に係るリモコン装置によるカメラの撮像条件変更処理を説明するためのフローチャートである。
【図６】本発明の実施の形態に係るリモコン装置によるレリーズ動作及びレリーズ動作に基づく撮影画像のリモコン装置における表示処理を説明するためのフローチャートである。
【図７】本発明の実施の形態に係るリモコン装置の操作による画像の再生動作の処理を説明するためのフローチャートである。
【図８】本発明の実施の形態に係る従カメラを用いた場合のカメラシステムの構成を示す図である。
【符号の説明】
【００４７】
２・・・カメラ、１４・・・発光部、１６・・・受光部、１８・・・近接センサ、２４・・・撮像素子、２６・・・画像データ記憶部、３２・・・撮像条件記憶部、３４・・・通信制御部、３８・・・リモコン装置、４２・・・送信部、４４・・・受信部、４６・・・表示部、４８・・・操作部。
【図１】
2009135766.tif 000003
【図２】
2009135766.tif 000004
【図３】
2009135766.tif 000005
【図４】
2009135766.tif 000006
【図５】
2009135766.tif 000007
【図６】
2009135766.tif 000008
【図７】
2009135766.tif 000009
【図８】
2009135766.tif 000010